(57)【要約】  【課題】  顔面を吸引しながらレザーを使用する際に、顔面の部位により吸引されて伸びる度合いが異なっても、確実に吸引して剃ることを可能にするとともに、横移動も円滑にできるようにする。  【解決手段】  皮膚表面に押し当てられる吸引チャンバー１３と、吸引チャンバー１３の内側の皮膚表面に対向する部分に支承されたカミソリ刃１１と、カミソリ刃１１に接続されてカミソリ刃１１を駆動するカミソリ刃駆動手段と、吸引チャンバー１３の側面部または背面部に形成されて真空発生源に接続される吸引口１５とを備え、カミソリ刃駆動手段は、モーター１とモーター１の回転を往復運動に変換するクランク機構からなり、カミソリ刃１１を前後方向に駆動する。また、他のカミソリ刃駆動手段として、カミソリ刃を支持する部材に設置した偏心モーター２１からなり、カミソリ刃を振動させる。【選択図】  図１
2006181141.tif 000002
【特許請求の範囲】
【請求項１】
皮膚表面に押し当てられる吸引チャンバーと、
該吸引チャンバーの内側の皮膚表面に対向する部分に支承されたカミソリ刃と、
該カミソリ刃に接続されてカミソリ刃を駆動するカミソリ刃駆動手段と、
前記吸引チャンバーの側面部または背面部に形成されて真空発生源に接続される吸引口と、
を備えたことを特徴とする真空レザー。
【請求項２】
請求項１に記載の真空レザーにおいて、
前記カミソリ刃駆動手段は、モーターと該モーターの回転を往復運動に変換するクランク機構からなり、前記カミソリ刃を前後方向に駆動することを特徴とした真空レザー。
【請求項３】
請求項１に記載の真空レザーにおいて、
前記カミソリ刃駆動手段は、前記カミソリ刃を支持する部材に設置した偏心モーターからなり、前記カミソリ刃を振動させることを特徴とした真空レザー。
【請求項４】
請求項１乃至３のいずれかに記載の真空レザーにおいて、
前記カミソリ刃の支承部分にばねを備えたことを特徴とする真空レザー。
【請求項５】
請求項１乃至４のいずれかに記載の真空レザーにおいて、
前記吸引チャンバーの側面部または背面部に透孔を形成して、該透孔を指先で押さえて開閉操作することで、吸引チャンバー内の吸引圧力を調整可能にしたことを特徴とする真空レザー。
【請求項６】
請求項１乃至５のいずれかに記載の真空レザーにおいて、
前記カミソリ刃の支承部分に着脱継ぎ手を設けて、カミソリ刃を着脱自在にするとともに、前記吸引チャンバー内にイオン発生機能を備えたローラーを設けたことを特徴とする真空レザー。
【請求項７】
請求項１乃至５のいずれかに記載の真空レザーにおいて、
前記カミソリ刃の支承部分に着脱継ぎ手を設けて、カミソリ刃を着脱自在にするとともに、前記吸引チャンバー内にオゾン発生体を設けたことを特徴とする真空レザー。
【請求項８】
請求項１乃至７のいずれかに記載の真空レザーにおいて、
前記吸引チャンバーをガラスまたは透明プラスチックにより形成したことを特徴とする真空レザー。
【発明の詳細な説明】
【技術分野】
【０００１】
本発明は、皮膚表面を吸引しながら髭を剃ることができる真空レザーに関する。
【背景技術】
【０００２】
従来から、髭を剃る際に、皮膚表面を吸引しながら剃ることで、髭の根元深く剃る、いわゆる深剃りが可能であることが知られている。それを実現したものが、特許文献１に記載の「電気カミソリ」として提案されている。
【特許文献１】特開平０５−２１２１６４号公報
【発明の開示】
【発明が解決しようとする課題】
【０００３】
しかしながら、上述した特許文献１に記載の「電気カミソリ」は、皮膚に当接される外刃部分が凹面状に大きく窪んでおり、髭を剃る際は、皮膚をその凹面状の奥の外刃部分に密接するまで、皮膚面を吸引しなければならず、吸引部分の吸引動力が大きくなければならなかった。また、顔面の部位によっては、皮膚の伸びる余裕が少ないため、充分に、外刃面に密接せずに、深剃りができない場合があった。さらには、凹面状に形成された外刃
部分に皮膚が吸引密着されると、その吸着力に比例した摩擦力が発生して、電気カミソリを横方向に移動させる際の抵抗が大きくなり、使い勝手が悪いという問題があった。そこで、本発明は、顔面の部位により吸引されて伸びる度合いが異なっても、確実に吸引して剃ることが可能であるとともに、横移動も円滑にできる真空レザーを提案することを目的とした。
【課題を解決するための手段】
【０００４】
上記課題を解決するために、本発明は、皮膚表面に押し当てられる吸引チャンバーと、
該吸引チャンバーの内側の皮膚表面に対向する部分に支承されたカミソリ刃と、該カミソリ刃に接続されてカミソリ刃を駆動するカミソリ刃駆動手段と、前記吸引チャンバーの側面部または背面部に形成されて真空発生源に接続される吸引口とを備えたことを特徴とする。
ここで、前記カミソリ刃駆動手段は、モーターと該モーターの回転を往復運動に変換するクランク機構からなり、前記カミソリ刃を前後方向に駆動することを特徴とした。
または、前記カミソリ刃駆動手段は、前記カミソリ刃を支持する部材に設置した偏心モーターからなり、前記カミソリ刃を振動させることを特徴とした。
また、前記カミソリ刃の支承部分にばねを備えることが好ましい。
また、前記吸引チャンバーの側面部または背面部に透孔を形成して、該透孔を指先で押さえて開閉操作することで、吸引チャンバー内の吸引圧力を調整可能にすることも可能である。
また、前記カミソリ刃の支承部分に着脱継ぎ手を設けて、カミソリ刃を着脱自在にするとともに、前記吸引チャンバー内にイオン発生機能を備えたローラーを設けることも可能である。
同じく、前記カミソリ刃の支承部分に着脱継ぎ手を設けて、カミソリ刃を着脱自在にするとともに、前記吸引チャンバー内にオゾン発生体を設けることも可能である。
また、前記吸引チャンバーをガラスまたは透明プラスチックにより形成することが好ましい。
【発明の効果】
【０００５】
以上述べたように本発明によれば、吸引チャンバー内に、電動により駆動されるカミソリ刃を備えたことで、吸引チャンバー内に吸引されて盛り上がった皮膚から髭の根元が露出された状態で、髭が切断されるため、皮膚を指で摘むことなく、深剃りが簡単にできる。また、皮膚との当接部分が吸引チャンバーの縁部分だけとなり、接触面積が少ない分、摩擦抵抗が小さくなり、横移動も容易となる。
【発明を実施するための最良の形態】
【０００６】
以下、図に基づいて本発明の実施形態を説明する。
図１は本発明に係る真空レザーの第１の実施形態を示す縦断面図である。図において、１はモーター、２は駆動歯車、３，４は傘歯車、５は出力軸、６は出力軸カバー、７，８はばね、９は支軸部、１０はカミソリ脱着軸、１１はカミソリ刃、１２はカミソリガード、１３は吸引チャンバー、１４は吸引調整孔、１５は吸引口、１６はハウジングである。
【０００７】
図示されるモーター１が、電源オンされて回転すると、その回転が、駆動歯車２から傘歯車４に伝達される。傘歯車４部分にはクランク機構が構成されており、傘歯車４の回転が出力軸５の往復運動に変換される。出力軸５の他端は出力軸カバー６に接続され、出力軸カバー６の内側で、出力軸５の往復運動がばね７，８を介して、支軸部９へ伝達される。支軸部９はくの字に屈曲されて、その先端にカミソリ刃１１が着脱自在に取り付けられている。カミソリ刃１１の外側は、カミソリガード１２により覆われている。
【０００８】
この真空レザーを使用する場合は、吸引チャンバー１３の吸引口１５を、図示しない真空ポンプからのホースに接続して、吸引チャンバー１３内の空気を吸引するようにする。次に、図示しないスイッチをオンして、モーター１を回転駆動し、出力軸５を介してカミソリ刃１１を往復駆動する。この状態で、使用者は、吸引チャンバー１３を把持して、吸引チャンバー１３の前端を、顔面に押し当てる。すると、吸引チャンバー１３内の空気が吸引されているため、吸引チャンバー１３が顔面に吸着されるとともに、吸引チャンバー１３内に位置している顔面の皮膚が、吸引されて盛り上がる。
【０００９】
同時に、髭の根元部分も、皮膚表面から露出する。このとき、露出したその髭の根元部分に、カミソリ刃１１が押し当てられて、前後方向に往復運動することで、髭の根元部分が切断される。次に、吸引チャンバー１３を、顔面に吸着された状態のまま、顔面上を移動する。すると、吸引チャンバー１３内で盛り上がっている皮膚が入れ代わり、新たな皮膚の部分の髭が切断される。このようにして、吸引チャンバー１３を顔面上で移動させることで、顔面各部の髭を根元部分から剃ることができる。
【００１０】
なお、顔面の位置によっては、吸引力を弱めたり、強めたり調整したい場合がある。その場合は、吸引調整孔１４を指先で閉じたり開いたりすることで、調整が可能である。また、カミソリ刃１１の往復速度を速くしたり、遅くしたりしたい場合もある。その場合は、モーター１の位置を前後に移動して、駆動歯車２が噛合する相手を、傘歯車３，４のいずれかに切り換えることで、変速比が代わり、カミソリ刃１１の往復速度を切り換えることが可能である。
【００１１】
なお、カミソリ刃１１によるヒゲソリの様子は、吸引チャンバー１３をガラスまたは透明プラスチックにより形成しておくことで、外部から目視確認が可能である。また、カミソリ刃１１は、図示されてないが、着脱自在なカートリッジとして、切れ味が落ちたら交換可能にしておくことが好ましい。また、この真空レザーは、カミソリ刃１１を、支軸部９の根元の出力軸カバー６から取り外すことで、レザーとしてではなく、吸引マッサージ器具として使用することも可能である。
【００１２】
図２は本発明に係る真空レザーの第２の実施形態を示す縦断面図である。図において、２１は偏心モーター、２２は吸引チャンバー、２３はコイルばね、２４はカミソリ脱着
軸、２５はカミソリ刃、２６はカミソリガード、２７は吸引調整孔、２８は吸引口、２９は支軸、３０は隔壁、３１は着脱継ぎ手、３２はコード、３３は長さ調整ねじである。吸引チャンバー２２の内側前部に、カミソリ刃２５を支持しておいて、カミソリ刃２５を、吸引チャンバー２２内の後部に配置された偏心モーター２１により振動させる構成である。
【００１３】
この真空レザーを使用する場合は、吸引チャンバー２２の吸引口２８を、図示しない真空ポンプからのホースに接続して、吸引チャンバー２２内の空気を吸引するようにする。次に、図示しないスイッチをオンして、支軸２９の上端に設置されている偏心モーター２１を回転駆動する。すると、偏心モーター２１に振動が発生して、その振動が支軸２９、着脱継ぎ手３１およびカミソリ脱着軸２４を介して、カミソリ刃２５に伝達されて、カミソリ刃２５が振動する。
【００１４】
この状態で、使用者は、吸引チャンバー２２を把持して、吸引チャンバー２２の前端を、顔面に押し当てる。すると、吸引チャンバー２２内の空気が吸引されているため、吸引チャンバー２２が顔面に吸着されるとともに、吸引チャンバー２２内に位置している顔面の皮膚が、吸引されて盛り上がる。
【００１５】
同時に、髭の根元部分も、皮膚表面から露出する。このとき、露出したその髭の根元部分に、カミソリ刃２５が押し当てられて、振動をすることで、髭の根元部分が切断される。次に、吸引チャンバー２２を、顔面に吸着された状態のまま、顔面上を移動する。すると、吸引チャンバー２２内で盛り上がっている皮膚が入れ代わり、新たな皮膚の部分の髭が切断される。このようにして、吸引チャンバー２２を顔面上で移動させることで、顔面各部の髭を根元部分から剃ることができる。
【００１６】
なお、顔面の位置によっては、吸引力を弱めたり、強めたり調整したい場合がある。その場合は、吸引調整孔２７を指先で閉じたり開いたりすることで、調整が可能である。また、カミソリ刃２５によるヒゲソリの様子は、吸引チャンバー２２をガラスまたは透明プラスチックにより形成しておくことで、外部から目視確認が可能である。また、カミソリ刃２５は、図示されてないが、着脱自在なカートリッジとして、切れ味が落ちたら交換可能にしておくことが好ましい。また、この真空レザーは、カミソリ刃２５を、着脱継ぎ手３１から取り外すことで、レザーとしてではなく、吸引マッサージ器具として使用することも可能である。
【００１７】
図３は本発明に係る真空レザーの第３の実施形態を示す斜視図である。図において、４１は吸引口、４２は偏心モーター、４３は着脱継ぎ手凸部、４４は着脱継ぎ手凹部、４５はローラー軸、４６はレザー着脱部、４７はイオン発生ローラー、４８はカミソリ刃、４９は吸引チャンバー、５０はイオン供給継ぎ手、５１は長さ調整ねじ、５２は着脱継ぎ手である。吸引チャンバー４９の内側前部に、カミソリ刃４８およびイオン発生ローラー４７を支持しておいて、カミソリ刃４８を、吸引チャンバー４９内の後方外部に配置された偏心モーター４２により振動させる構成である。
【００１８】
この真空レザーは、イオン発生ローラー４７を備えたことで、ひげそりをしながら、あるいは、カミソリ刃４８を外して吸引マッサージをしながら、または吸引をしないで、イオンを顔面にあてることができる。すでに、美容用、理容用としてイオン発生装置が存在するので、そのイオン発生装置にイオン発生ローラー４７を接続して、イオン発生ローラー４７からイオンが発生するように構成している。周知のように、マイナスイオンを顔面に当てると、肌への化粧水の浸透性が向上する。また、プラスイオンを顔面に当てると、肌への洗浄作用と洗顔作用が得られる。
【００１９】
この真空レザーを用いて、ひげそりをする場合は、吸引チャンバー４９の吸引口４１を、図示しない真空ポンプからのホースに接続して、吸引チャンバー４９内の空気を吸引するようにする。次に、図示しないスイッチをオンして、偏心モーター４２を回転駆動する。すると、偏心モーター４２に振動が発生し、その振動が、長さ調整ねじ５１、着脱継ぎ手凸部４３、着脱継ぎ手凹部４４、着脱継ぎ手５２、レザー着脱部４６を介してカミソリ刃４８へ伝達される。この状態で、使用者は、吸引チャンバー４９を把持して、吸引チャンバー４９の前端を、顔面に押し当てる。すると、吸引チャンバー４９内の空気が吸引されているため、吸引チャンバー４９が顔面に吸着されるとともに、吸引チャンバー４９内に位置している顔面の皮膚が、吸引されて盛り上がる。
【００２０】
同時に、髭の根元部分も、皮膚表面から露出する。このとき、露出したその髭の根元部分に、カミソリ刃４８が押し当てられて、振動することで、髭の根元部分が切断される。次に、吸引チャンバー４９を、顔面に吸着された状態のまま、顔面上を移動する。すると、吸引チャンバー４９内で盛り上がっている皮膚が入れ代わり、新たな皮膚の部分の髭が切断される。このようにして、吸引チャンバー４９を顔面上で移動させることで、顔面各部の髭を根元部分から剃ることができる。
【００２１】
カミソリ刃４８によるヒゲソリの様子は、吸引チャンバー４９をガラスまたは透明プラスチックにより形成しておくことで、外部から目視確認が可能である。また、カミソリ刃４８は、図示されてないが、着脱自在なカートリッジとして、切れ味が落ちたら交換可能にしておくことが好ましい。また、この真空レザーは、カミソリ刃４８を、着脱継ぎ手５２から取り外して、長さ調整ねじ５１を調整して、イオン発生ローラー４７を前進させることで、イオンマッサージ器として使用可能となる。
【００２２】
この場合は、吸引チャンバー４９による吸引と、イオン発生ローラー４７の回転によるマッサージ、偏心モーター４２による振動が重なり、複合的なマッサージ効果が発揮される。さらに、このとき、イオン発生ローラー４７からイオンを発生させることでイオンの効果も加わる。このように、この真空レザーは、吸引により深剃りが可能なレザーとして、または吸引マーサージ器として、さらには振動マッサージ器として、さらにまたイオン発生ローラーによるイオンマッサージ器として機能することに加えて、これらの機能を組み合わせて使用することも可能な万能の真空レザーである。特に、吸引チャンバー４９を取り外して、イオン発生ローラー４７と偏心モーター４２とカミソリ刃４８の構成として、イオンローラレザー器として使用することも可能である。
【００２３】
図４は本発明に係る真空レザーの第４の実施形態を示す斜視図である。図において、６１は吸引口、６２は偏心モーター、６３は着脱継ぎ手凸部、６４は着脱継ぎ手凹部、６５はカミソリ台、６６はレザー着脱部、６７はオゾン発生体、６８はカミソリ刃、６９は吸引チャンバー、７０はオゾン供給継ぎ手、７１は長さ調整ねじ、７２は着脱継ぎ手、７３は吸引調整孔である。吸引チャンバー６９の内側前部に、カミソリ刃６８およびオゾン発生体６７を支持しておいて、カミソリ刃６８を、吸引チャンバー６９内の後方外部に配置された偏心モーター６２により振動させる構成である。この真空レザーは、オゾン発生体６７を備えたことで、ひげそりをしながら、あるいは、カミソリ刃６８を外して、吸引マッサージをしながら、または吸引をしないで、オゾンを顔面にあてることができる。すでに、美容用、理容用としてオゾン発生装置が存在するので、そのオゾン発生装置にオゾン発生体６７を接続して、オゾン発生体６７からイオンが発生するように構成している。周知のように、オゾンを顔面に当てると、肌の殺菌作用、漂白作用が得られる。
【００２４】
この真空レザーを用いて、ひげそりをする場合は、吸引チャンバー６９の吸引口６１を、図示しない真空ポンプからのホースに接続して、吸引チャンバー６９内の空気を吸引するようにする。次に、図示しないスイッチをオンして、偏心モーター６２を回転駆動する。すると、偏心モーター６２に振動が発生し、その振動が、長さ調整ねじ７１、オゾン供給継ぎ手７０、オゾン発生体６７、カミソリ台６５、着脱継ぎ手７２、レザー着脱部６６を介してカミソリ刃６８へ伝達される。この状態で、使用者は、吸引チャンバー６９を把持して、吸引チャンバー６９の前端を、顔面に押し当てる。すると、吸引チャンバー６９内の空気が吸引されているため、吸引チャンバー６９が顔面に吸着されるとともに、吸引チャンバー６９内に位置している顔面の皮膚が、吸引されて盛り上がる。
【００２５】
同時に、髭の根元部分も、皮膚表面から露出する。このとき、露出したその髭の根元部分に、カミソリ刃６８が押し当てられて、振動することで、髭の根元部分が切断される。次に、吸引チャンバー６９を、顔面に吸着された状態のまま、顔面上を移動する。すると、吸引チャンバー６９内で盛り上がっている皮膚が入れ代わり、新たな皮膚の部分の髭が切断される。このようにして、吸引チャンバー６９を顔面上で移動させることで、顔面各部の髭を根元部分から剃ることができる。なお、顔面の位置によっては、吸引力を弱めたり、強めたり調整したい場合がある。その場合は、吸引調整孔７３を指先で閉じたり開いたりすることで、調整が可能である。
【００２６】
また、カミソリ刃６８によるヒゲソリの様子は、吸引チャンバー６９をガラスまたは透明プラスチックにより形成しておくことで、外部から目視確認が可能である。また、カミソリ刃６８は、図示されてないが、着脱自在なカートリッジとして、切れ味が落ちたら交換可能にしておくことが好ましい。また、この真空レザーは、オゾン発生体６７からオゾンを発生させながら、ひげそりが可能であるとともに、カミソリ刃６８を、着脱継ぎ手７２から取り外して、長さ調整ねじ７１を調整して、オゾン発生体６７を前進させることで、オゾン発生器として使用可能となる。
【００２７】
この場合は、吸引チャンバー６９による吸引と、オゾン発生体６７からのオゾン発生、偏心モーター６２による振動が重なり、複合的なマッサージ効果が発揮される。この真空レザーは、吸引により深剃りが可能レザーとして、または吸引マーサージ器として、さらには振動マッサージ器として、さらにまたオゾン発生体からのオゾンによる殺菌、漂白効果を有するマッサージ器として機能することに加えて、これらの機能を組み合わせて使用することも可能な万能の真空レザーである。特に、吸引しながらオゾンを発生させると、毛穴の奥から、脂分や老廃物を吸引除去しながら、毛穴の奥の漂白、殺菌を行うことができる。
【００２８】
なお、図３に示した第３の実施形態の真空レザーと、図４に示した第４の実施形態の真空レザーとは、イオン発生ローラー４７とオゾン発生体６７の構成が異なるのみで他は共通の構成であるので、イオン発生ローラー４７とオゾン発生体６７を互いに取り替えて使用することが可能である。
【産業上の利用可能性】
【００２９】
本発明は、理髪店、美容室での業務用として利用する以外に、家庭で個人が使用するレザーにも利用することが可能である。
【図面の簡単な説明】
【００３０】
【図１】本発明に係る真空レザーの第１の実施形態を示す縦断面図である。
【図２】本発明に係る真空レザーの第２の実施形態を示す縦断面図である。
【図３】本発明に係る真空レザーの第３の実施形態を示す斜視図である。
【図４】本発明に係る真空レザーの第４の実施形態を示す斜視図である。
【符号の説明】
【００３１】
１  モーター
２  駆動歯車
３，４  傘歯車
５  出力軸
６  出力軸カバー
７，８  ばね
９  支軸部
１０  カミソリ脱着軸
１１  カミソリ刃
１２  カミソリガード
１３  吸引チャンバー
１４  吸引調整孔
１５  吸引口
１６  ハウジング
２１  偏心モーター
２２  吸引チャンバー
２３  コイルばね
２４  カミソリ脱着軸
２５  カミソリ刃
２６  カミソリガード
２７  吸引調整孔
２８  吸引口
２９  支軸  
３０  隔壁
３１  着脱継ぎ手
３２  コード
３３  長さ調整ねじ
４１  吸引口
４２  偏心モーター
４３  着脱継ぎ手凸部
４４  着脱継ぎ手凹部
４５  ローラー軸
４６  レザー着脱部
４７  イオン発生ローラー
４８  カミソリ刃
４９  吸引チャンバー
５０  イオン供給継ぎ手
５１  長さ調整ねじ
５２  着脱継ぎ手      
６１  吸引口
６２  偏心モーター
６３  着脱継ぎ手凸部
６４  着脱継ぎ手凹部
６５  カミソリ台
６６  レザー着脱部
６７  オゾン発生体
６８  カミソリ刃
６９  吸引チャンバー
７０  オゾン供給継ぎ手
【図１】
2006181141.tif 000003
【図２】
2006181141.tif 000004
【図３】
2006181141.tif 000005
【図４】
2006181141.tif 000006